(57)【要約】【課題】構成の自由度が高いケーブルガイドを提供する。【解決手段】ケーブルガイド１は、第１の構造体１０と第２の構造体２０とを備える。第１の構造体１０は、一端部１１ａに設けられた差込部１２と、他端部１１ｂに設けられた差込受部１３と、を含む底板１１からなる。第２の構造体２０は、底板１１と、底板１１における一端部１１ａと他端部１１ｂとの間の一対の側部１１ｃから立設された一対の側板２１と、を有する。底板１１同士は、一方の底板１１の差込部１２を他方の底板１１の差込受部１３に差し込むことにより、底板１１の延在方向に沿って互いに回動可能に連結される。【選択図】図１
2015220790.tif 000002
【特許請求の範囲】
【請求項１】
第１の構造体と第２の構造体とを備えるケーブルガイドであって、
前記第１の構造体は、一端部に設けられた差込部と、他端部に設けられた差込受部と、を含む底板からなり、
前記第２の構造体は、前記底板と、前記底板における前記一端部と前記他端部との間の一対の側部から立設された一対の側板と、を有し、
前記底板同士は、一方の前記底板の前記差込部を他方の前記底板の前記差込受部に差し込むことにより、前記底板の延在方向に沿って互いに回動可能に連結される、
ことを特徴とするケーブルガイド。
【請求項２】
前記一端部には、前記差込部から前記側部に至るように延在する一対の第１の当接面が設けられており、
前記他端部には、前記差込受部から前記側部に至るように延在する一対の第２の当接面が設けられており、
前記第１の当接面と第２の当接面とは、互いに連結された状態の前記底板を回動したときに互いに当接する面であり、
前記第１の当接面同士のなす角度、及び、前記第２の当接面同士のなす角度は、９０度以上１８０度未満である、
ことを特徴とする請求項１に記載のケーブルガイド。
【請求項３】
前記底板は、前記底板に交差する方向からみて略六角形状の外形を有し、
前記差込部は、前記外形における互いに対向する頂点の一方に設けられ、
前記差込受部は、前記外形における互いに対向する前記頂点の他方に設けられている、
ことを特徴とする請求項１又は２に記載のケーブルガイド。
【請求項４】
前記差込部には、略円柱状の突起が形成されており、
前記差込受部には、前記突起が嵌合可能な孔が形成されており、
前記底板同士は、一方の前記底板の前記差込部を他方の前記底板の前記差込受部に差し込んで前記突起を前記孔に嵌合させることにより、前記突起の中心軸周りに互いに回動可能に連結される、
ことを特徴とする請求項１〜３のいずれか一項に記載のケーブルガイド。
【請求項５】
前記差込部は、平板状の差込板部を含み、
前記突起は、前記差込板部の両面に設けられており、
前記差込受部は、前記差込板部を挿入可能な空間を維持しつつ互いに対向する一対の平板状の差込受板部を含み、
前記孔は、前記差込受板部のそれぞれに形成されている、
ことを特徴とする請求項４に記載のケーブルガイド。
【請求項６】
前記突起は、前記他端部から前記一端部に向かう方向に低くなるような傾斜部を含む、
ことを特徴とする請求項４又は５に記載のケーブルガイド。
【請求項７】
前記側部の外側面には、第１の凹部又は第１の凸部が形成されており、
前記側板における前記底板と反対側の端部には、前記第１の凹部に嵌合可能な第２の凸部、又は、前記第１の凸部が嵌合可能な第２の凹部が形成されている、
ことを特徴とする請求項１〜６のいずれか一項に記載のケーブルガイド。
【発明の詳細な説明】
【技術分野】
【０００１】
本発明は、ケーブルガイドに関する。
【背景技術】
【０００２】
特許文献１には、単位ケーブル保護枠体を複数連結して構成される連結式ケーブルガイドが記載されている。それぞれの単位ケーブル保護枠体は、底板部と、底板部の両側に立設された一対の側板部とによってＵ字状に形成されている。底板部の一方の端部側には、接続差込板部が形成されており、底板部の他方の端部側には、接続差込板部が遊嵌される間隙を有する接続受板部が形成されている。接続差込板部の表裏面には、接続突起が設けられている。接続受板部には、接続孔が設けられている。
【先行技術文献】
【特許文献】
【０００３】
【特許文献１】特開２００１−１７７９４５号公報
【発明の概要】
【発明が解決しようとする課題】
【０００４】
上記の連結式ケーブルガイドは、互いに隣接する単位ケーブル保護枠体の一方の接続差込板部を他方の接続受対部の間隙に挿入し、接続突起を接続孔に嵌合させることによって、単位ケーブル保護枠体同士を連結して構成される。この連結式ケーブルガイドにおいては、単位ケーブル保護枠体の側板部に対して、単位ケーブル保護枠体を連結したときに互いに摺動可能な凹円弧面及び凸円弧面を形成することにより、水平方向に回動可能としている。
【０００５】
ところで、この連結式ケーブルガイドにあっては、単位ケーブル保護枠体のそれぞれに側板部を設けることにより、ガイド対象となるケーブルの飛び出しが抑制されると考えられる。特に、この連結式ケーブルガイドは、単一種類の単位ケーブル保護枠体のみを連結して構成されるので、その全体にわたって側板部が設けられることとなる。したがって、この連結式ケーブルガイドにおいては、側板部が部分的に不要である場合や、側板部が部分的に邪魔になる場合等に対応できず、構成の自由度が低い。
【０００６】
また、この連結式ケーブルガイドは、上下方向にも揺動可能であるとされている。上述したように、この連結式ケーブルガイドは、単一種類の単位ケーブル保護枠体のみを連結して構成されるので、その場合には全体が揺動することとなる。つまり、この連結式ケーブルガイドにおいては、一部のみを揺動可能としつつ残部を揺動可能でないように構成することが困難であり、やはり構成の自由度が低い。
【０００７】
本発明は、そのような事情に鑑みてなされたものであり、構成の自由度が高いケーブルガイドを提供することを目的とする。
【課題を解決するための手段】
【０００８】
上記課題を解決するために、本発明に係るケーブルガイドは、第１の構造体と第２の構造体とを備えるケーブルガイドであって、第１の構造体は、一端部に設けられた差込部と、他端部に設けられた差込受部と、を含む底板からなり、第２の構造体は、底板と、底板における一端部と他端部との間の一対の側部から立設された一対の側板と、を有し、底板同士は、一方の底板の差込部を他方の底板の差込受部に差し込むことにより、底板の延在方向に沿って互いに回動可能に連結されることを特徴とする。
【発明の効果】
【０００９】
本発明によれば、構成の自由度が高いケーブルガイドを提供することができる。
【図面の簡単な説明】
【００１０】
【図１】本実施形態に係るケーブルガイドの部分的な構成を示す斜視図である。
【図２】図１に示された第１の構造体の構成を示す図である。
【図３】図１に示された第２の構造体の構成を示す図である。
【図４】底板同士を互いに連結する様子を示す断面図である。
【図５】図１に示されたケーブルガイドの部分的な側面図である。
【図６】図１に示されたケーブルガイドの変形例の一部分を示す斜視図である。
【図７】図１に示されたケーブルガイドの変形例の一部分を示す斜視図である。
【発明を実施するための形態】
【００１１】
［実施形態の説明］
まず、本発明に係るケーブルガイドの一実施形態を列記して説明する。
【００１２】
一実施形態に係るケーブルガイドは、第１の構造体と第２の構造体とを備えるケーブルガイドであって、第１の構造体は、一端部に設けられた差込部と、他端部に設けられた差込受部と、を含む底板からなり、第２の構造体は、底板と、底板における一端部と他端部との間の一対の側部から立設された一対の側板と、を有し、底板同士は、一方の底板の差込部を他方の底板の差込受部に差し込むことにより、底板の延在方向に沿って互いに回動可能に連結される、ことを特徴とする。
【００１３】
このケーブルガイドは、第１及び第２の構造体を備える。第１の構造体は、差込部と差込受部とを含む底板からなる。第２の構造体は、その底板と、その底板に立設された一対の側板とを有する。つまり、底板は、第１及び第２の構造体における共通部分である。第１の構造体同士、第１の構造体と第２の構造体、又は、第２の構造体同士は、それぞれの底板同士を連結することにより、底板の延在方向（例えば水平方向）に沿って互いに連結可能である。より具体的には、底板同士は、一方の底板の差込部を他方の底板の差込受部に差し込むことにより、底板の延在方向に沿って互いに回動可能に連結される。このように、このケーブルガイドは、少なくとも２種類の構造体（第１及び第２の構造体）を任意に選択して底板同士の連結により互いに連結して構成され得る。つまり、このケーブルガイドによれば、一部を底板のみとしつつ残部に側板を設ける構成とし得る。このように、このケーブルガイドは、構成の自由度が高い。
【００１４】
一実施形態に係るケーブルガイドにおいては、一端部には、差込部から側部に至るように延在する一対の第１の当接面が設けられており、他端部には、差込受部から側部に至るように延在する一対の第２の当接面が設けられており、第１の当接面と第２の当接面とは、互いに連結された状態の底板を回動したときに互いに当接する面であり、第１の当接面同士のなす角度、及び、第２の当接面同士のなす角度は、９０度以上１８０度未満としてもよい。この場合、互いに連結された状態の底板を回動したときに当接する当接面のなす角度が、９０度以上１８０度未満である。このため、ケーブルガイドが極端に小さな曲率半径でもって湾曲することが避けられる。
【００１５】
一実施形態に係るケーブルガイドにおいては、底板は、底板に交差する方向からみて略六角形状の外形を有し、差込部は、外形における互いに対向する頂点の一方に設けられ、差込受部は、外形における互いに対向する頂点の他方に設けられていてもよい。この場合、差込部及び差込受部を容易に構成可能である。
【００１６】
一実施形態に係るケーブルガイドにおいては、差込部には、略円柱状の突起が形成されており、差込受部には、突起が嵌合可能な孔が形成されており、底板同士は、一方の底板の差込部を他方の底板の差込受部に差し込んで突起を孔に嵌合させることにより、突起の中心軸周りに互いに回動可能に連結されてもよい。この場合、突起と孔との嵌合によって、底板同士を突起の中心軸周りに回動可能な状態にて確実に連結することが可能である。
【００１７】
一実施形態に係るケーブルガイドにおいては、差込部は、平板状の差込板部を含み、突起は、差込板部の両面に設けられており、差込受部は、差込板部を挿入可能な空間を維持しつつ互いに対向する一対の平板状の差込受板部を含み、孔は、差込受板部のそれぞれに形成されていてもよい。この場合、底板同士の連結がより強固となる。
【００１８】
一実施形態に係るケーブルガイドにおいては、突起は、他端部から一端部に向かう方向に低くなるような傾斜部を含んでもよい。この場合、突起を容易に孔に陥入させることが可能となる。
【００１９】
一実施形態に係るケーブルガイドにおいては、側部の外側面には、第１の凹部又は第１の凸部が形成されており、側板における底板と反対側の端部には、第１の凹部に嵌合可能な第２の凸部、又は、第１の凸部が嵌合可能な第２の凹部が形成されていてもよい。この場合、第２の構造体の側板の第２の凹部又は第２の凸部に対して、第１の構造体又は第２の構造体の底板の側部の第１の凸部又は第１の凹部を嵌合させることにより、第１の構造体と第２の構造体、又は、第２の構造体同士を、底板に交差する方向（例えば上下方向）に連結して積層することが可能となる。
［実施形態の詳細］
【００２０】
以下、本発明に係るケーブルガイドの一実施形態について、図面を参照して詳細に説明する。図面の説明においては、同一の要素同士、或いは相当する要素同士には、互いに同一の符号を付し、重複する説明を省略する場合がある。なお、本発明はこれらの例示に限定されるものではなく、特許請求の範囲によって示され、特許請求の範囲と均等の意味及び範囲内におけるすべての変更が含まれることが意図される。
【００２１】
図１は、本実施形態に係るケーブルガイドの部分的な構成を示す斜視図である。図１に示されるケーブルガイド１は、例えば、所定のラックに引出可能に実装された光パッチパネルにおいて、光ケーブルをガイドするために用いられる。ケーブルガイド１がガイドする光ケーブルは、種々のものが想定され、例えば複数の光ファイバ心線を集約した光ケーブルである場合もあるし、光ファイバ心線である場合もある。
【００２２】
ケーブルガイド１は、複数の第１の構造体１０と、複数の第２の構造体２０と、を備えている。ケーブルガイド１は、複数の第１の構造体１０と、複数の第２の構造体２０と、を所定の配列にて連結して構成されている。図２は、図１に示された第１の構造体の構成を示す図である。図２の（ａ）は斜視図であり、図２の（ｂ）は平面図であり、図２の（ｃ）は側面図である。図２に示されるように、第１の構造体１０は、底板１１からなる。底板１１は、一端部１１ａに設けられた差込部１２と、他端部１１ｂに設けられた差込受部１３と、を含む。
【００２３】
底板１１は、底板１１に交差する方向からみて（すなわち平面視において）、略六角形状の外形を有する。一端部１１ａ及び差込部１２は、その略六角形状の外形における互いに対向する一対の頂点うちの一方に設けられており、他端部１１ｂ及び差込受部１３は、当該外形における対向する一対の頂点のうちの他方に設けられている。
【００２４】
差込部１２は、平板状の差込板部１４を含む。差込板部１４は、平面視において略円形状を呈している。差込板部１４は、互いに平行な表面１４ａ及び裏面１４ｂを含む。表面１４ａ及び裏面１４ｂには、それぞれ、略円柱状の突起１６が形成されている。つまり、突起１６は、差込板部１４の両面に設けられている。差込板部１４と突起１６とは、一例として、平面視において略同心とされている。突起１６は、他端部１１ｂから一端部１１ａに向かう方向に徐々に低くなる傾斜部１６ｐを含む。傾斜部１６ｐは、円柱の高さ方向に交差する平面によって円柱を部分的に切断した際に形成される形状を呈している。
【００２５】
差込受部１３は、一対の平板状の差込受板部１５を含む。差込受板部１５は、平面視において略円形状を呈している。一対の差込受板部１５は、差込板部１４を挿入可能な空間Ｓ１を維持しつつ互いに対向している。つまり、差込受板部１５は、少なくとも差込板部１４の厚さの分だけ互いに離間して配置されている。差込受板部１５のそれぞれには、略円柱状の孔１５ｈが形成されている。差込受板部１５と孔１５ｈとは、一例として、平面視において略同心とされている。孔１５ｈは、ここでは差込受板部１５を貫通しているが、底部を有する孔としてもよい。孔１５ｈは、突起１６が嵌合可能な形状・寸法とされている。
【００２６】
底板１１同士は、このような差込部１２及び差込受部１３によって、互いに連結可能である。より具体的には、底板１１同士は、一方の底板１１の差込部１２を他方の底板１１の差込受部１３に差し込むことにより、底板１１の延在方向に沿って互いに回動可能に連結される。さらに具体的には、底板１１同士は、一方の底板１１の差込部１２を他方の底板１１の差込受部１３に差し込んで突起１６を孔１５ｈに嵌合させることにより、突起１６の中心軸周りに互いに回動可能に連結される（図４等参照）。
【００２７】
底板１１は、そのように互いに連結した状態において回動されたときに、回動を規制すべく互いに当接する面を有している。より具体的には、まず、底板１１は、一端部１１ａと他端部１１ｂとの間に一対の側部１１ｃを含む。側部１１ｃは、底板１１の略六角形状の外形の２頂点を結ぶ辺部分である。側部１１ｃは、一端部１１ａから他端部１１ｂに向かう方向に沿って互いに平行に延在している。
【００２８】
そして、底板１１の一端部１１ａには、差込部１２から一対の側部１１ｃのそれぞれに至るように延在する一対の第１の当接面１２ｓが設けられている。また、底板１１の他端部１１ｂには、差込受部１３から一対の側部１１ｃのそれぞれに至るように延在する第２の当接面１３ｓが設けられている。第１の当接面１２ｓと第２の当接面１３ｓとは、互いに連結された状態の底板１１を回動したときに互いに当接する面である。第１の当接面１２ｓ同士のなす角度θ１と、第２の当接面１３ｓ同士のなす角度θ２とは、一例として、互いに略同一であり、９０度以上１８０度未満である。さらに、角度θ１及び角度θ２は、例えば９０度以上１５０度以下とすることができ、ここでは１３５度である。
【００２９】
ここで、底板１１には、その外縁に沿ったリブが形成されている。特に、一端部１１ａにおいては、平面視において略円形状の差込部１２（差込板部１４）の他端部１１ｂ側の一部分を囲うように、略円弧状のリブ１７が形成されている。リブ１７の高さ（底板１１の厚さ方向におけるリブ１７の寸法）は、例えば差込受板部１５の厚さ以上であり、ここでは、差込受板部１５の厚さと略同一である。したがって、差込板部１４を差込受板部１５の間に挿入し、差込板部１４の表面１４ａ及び裏面１４ｂ上に差込受板部１５が配置されると、差込受板部１５とリブ１７とが略面一となる。
【００３０】
また、底板１１には、当該ケーブルガイドを上述したような光パッチパネル等の係合先部材に係合するための一対の係合片１８が設けられている。係合片１８は、互いに対向するように、底板１１の側部１１ｃから底板１１の内部に向かって突設されている。係合片１８のそれぞれには、ネジ孔１８ｈが形成されている。また、係合片１８同士は、側部１１ｃと反対側の端部１８ｅにおいて互いに離間しており、空隙Ｓ２を画成している。端部１８ｅには、係合突起１８ｐが形成されている。
【００３１】
このような底板１１においては、例えば、係合先部材に設けられた位置決め用の突起が係合片１８同士の空隙Ｓ２に挿入されたときに、係合片１８の端部１８ｅに設けられた係合突起１８ｐが当該位置決め用の突起の凹部に係合し、底板１１が係合先部材に対して固定される。なお、係合片１８のネジ孔１８ｈを用いて、底板１１を係合先部材に対して固定することも可能である。
【００３２】
図３は、図１に示された第２の構造体の構成を示す図である。図３の（ａ）は斜視図であり、図３の（ｂ）は平面図であり、図３の（ｃ）は側面図である。図３に示されるように、第２の構造体２０は、底板１１（すなわち第１の構造体１０）と、底板１１に設けられた一対の側板２１と、を有する。底板１１は、第１の構造体１０と第２の構造体２０との共通部分である。換言すれば、第２の構造体２０は、第１の構造体１０を含む。
【００３３】
側板２１は、底板１１における一端部１１ａと他端部１１ｂとの間の一対の側部１１ｃから立設されている。側板２１は、底板１１と交差する方向に延在している（一例として底板１１と略直交している）。側板２１は、底板１１の一方の側部１１ｃから他方の側部１１ｃに向かう方向からみて（すなわち側面視において）、略矩形状を呈している。第２の構造体２０は、底板１１と側板２１とによって略Ｕ字状に形成されており、光ケーブルが配置される空間Ｓ３を画成している。
【００３４】
ここで、底板１１の側部１１ｃの外側面には、第１の凸部１９が形成されている。また、側板２１の底板１１と反対側の端部２１ｅには、第２の凹部２９が形成されている。ここでは、第２の凹部２９は、側板２１の内面から外面に貫通する貫通孔であるが、底部を有する孔であってもよい。その場合には、第２の凹部２９は、側板２１の内面に設けられる。第２の凹部２９は、第１の凸部１９が嵌合可能な寸法・形状を呈している。
【００３５】
したがって、第１の構造体１０と第２の構造体２０、或いは、第２の構造体２０同士は、その底板１１を側板２１上に配置し、側板２１の第２の凹部２９に第１の凸部１９を嵌合させることによって、互いに上下方向に連結して積層することができる（図１等参照）。一例として、図１に示されるように、第２の構造体２０の上に第１の構造体１０を配置し、第２の構造体２０の側板２１に第１の構造体１０の底板１１を連結して積層することができる。この場合、第２の構造体２０の空間Ｓ３の上方が塞がれる。したがって、空間Ｓ３に配置された光ケーブルは、左右方向において側板２１にガイドされると共に、上下方向において底板１１によりガイドされる。
【００３６】
なお、側板２１の内面には、側板２１の外縁に沿ったリブ２７が設けられている。リブ２７は、側板２１の底板１１と反対側の端部２１ｅまで至っていない。このため、リブ２７の端面２７ｓが、側板２１の端部２１ｅよりも底板１１側に位置している。このリブ２７の端面２７ｓは、側板２１上に底板１１を配置したときに底板１１に当接する当接面であり、側板２１上における底板１１の位置を規定する位置決め部として機能する。
【００３７】
図４は、底板同士を互いに連結する様子を示す断面図である。図４には、一例として、第２の構造体２０と第１の構造体１０とを連結する場合が示されているが、第２の構造体２０同士、或いは第１の構造体１０同士を連結する場合も同様である。図４に示されるように、この場合には、まず、第１の構造体１０及び第２の構造体２０を用意する。そして、第２の構造体２０の底板１１の一端部１１ａに設けられた差込部１２を、第１の構造体１０の底板１１の他端部１１ｂに設けられた差込受部１３に差し込む。
【００３８】
より具体的には、第２の構造体２０の底板１１の差込板部１４を、第１の構造体１０の底板１１の差込受板部１５同士の空間Ｓ１に挿入する。これにより、差込板部１４に設けられた突起１６が、差込受板部１５に設けられた孔１５ｈに嵌合する。このとき、突起１６には、傾斜部１６ｐが設けられているので（すなわち、突起１６が基端から先端に向けて徐々に薄くなっているので）、突起１６によって差込受板部１５同士の空間Ｓ１を容易に押し広げて突起１６を孔１５ｈに陥入することができる。このように突起１６が孔１５ｈに嵌合することにより、第２の構造体２０と第１の構造体１０との連結が完了する。
【００３９】
このとき、第２の構造体２０の底板１１に設けられたリブ１７が、突起１６が嵌合された状態の差込受板部１５の外縁に沿って配置されることとなる。このため、第１の構造体１０の底板１１の差込受板部１５に対して、第２の構造体２０側から突起１６と孔１５ｈとの嵌合を外す方向に力が加わることが抑制される。よって、底板１１同士の連結がより強固となる。
【００４０】
以上説明したように、本実施形態に係るケーブルガイド１は、第１の構造体１０及び第２の構造体２０を備えている。第１の構造体１０は、差込部１２と差込受部１３とを含む底板１１からなる。第２の構造体２０は、その底板１１と、その底板１１に立設された一対の側板２１とを有する。第１の構造体１０同士、第１の構造体１０と第２の構造体２０、又は、第２の構造体２０同士は、それぞれの底板１１同士を連結することにより、底板１１の延在方向（例えば水平方向）に沿って互いに連結可能である。
【００４１】
より具体的には、底板１１同士は、上述したように、一方の底板１１の差込部１２を他方の底板１１の差込受部１３に差し込むことにより、底板１１の延在方向に沿って互いに回動可能に連結される。このように、このケーブルガイド１は、少なくとも２種類の構造体（第１の構造体１０及び第２の構造体２０）を任意に選択して底板１１同士の連結により互いに連結して構成され得る。
【００４２】
一例として、ケーブルガイド１は、図５に示されるように、第１の構造体１０及び第２の構造体２０から構成される領域Ｒ１と、第１の構造体１０のみから構成される領域Ｒ２と、を含む。特に、領域Ｒ１は、互いに連結された複数（ここでは３つ）の第１の構造体１０と、それらの第１の構造体１０の両側に配置されて連結された一対の第２の構造体２０と、それらの第２の構造体２０のそれぞれの上に配置されて連結された第１の構造体１０と、第２の構造体２０上の第１の構造体１０の間に配置されて連結された複数（ここでは３つ）の第１の構造体１０と、を含む。
【００４３】
このように、ケーブルガイド１においては、その一部を底板１１のみの第１の構造体１０としつつ、その残部を底板１１と側板２１とからなる第２の構造体２０を含むようにすることができ、構成の自由度が高い。特に、ケーブルガイド１によれば、領域Ｒ１において、光ケーブルが上下方向（底板１１に交差する方向）及び左右方向（側板２１に交差する方向）に十分にガイドされる。また、当該領域Ｒ１においては、一対の第２の構造体２０が上下両側において第１の構造体１０により互いに連結されているので、上下方向の撓みが比較的少ない。
【００４４】
これに対して、ケーブルガイド１によれば、領域Ｒ２において、側板２１及び側板２１上の底板１１が設けられておらず、光ケーブルの操作が容易となる。また、当該領域Ｒ２にあっては、ケーブルガイド１が上下方向に比較的撓みやすい。つまり、このケーブルガイド１は、一部分のみにおいて上下方向に撓みやすく構成され得る。
【００４５】
また、本実施形態に係るケーブルガイド１においては、底板１１の一端部１１ａには、差込部１２から側部１１ｃに至るように延在する一対の第１の当接面１２ｓが設けられており、他端部１１ｂには、差込受部１３から側部１１ｃに至るように延在する一対の第２の当接面１３ｓが設けられている。第１の当接面１２ｓと第２の当接面１３ｓとは、互いに連結された状態の底板１１を回動したときに互いに当接する面である。
【００４６】
そして、第１の当接面１２ｓ同士のなす角度θ１、及び、第２の当接面１３ｓ同士のなす角度θ２は、９０度以上１８０度未満である。このため、ケーブルガイド１が極端に小さな曲率半径でもって底板１１の延在方向に沿って湾曲することが避けられる。したがって、ケーブルガイド１にガイドされる光ケーブルの損傷等が抑制される。
【００４７】
また、本実施形態に係るケーブルガイド１においては、差込部１２には、略円柱状の突起１６が形成されており、差込受部１３には、突起１６が嵌合可能な孔１５ｈが形成されている。また、底板１１同士は、一方の底板１１の差込部１２を他方の底板１１の差込受部１３に差し込んで突起１６を孔１５ｈに嵌合させることにより、突起１６の中心軸周りに互いに回動可能に連結される。このため、底板１１同士が、突起１６と孔１５ｈとの嵌合によって、突起１６の中心軸周りに回動可能な状態にて確実に連結される。
【００４８】
また、本実施形態に係るケーブルガイド１においては、差込部１２は、平板状の差込板部１４を含み、突起１６は、差込板部１４の表面１４ａ及び裏面１５ｂに設けられている。一方、差込受部１３は、差込板部１４を挿入可能な空間を維持しつつ互いに対向する一対の平板状の差込受板部１５を含み、孔１５ｈは、差込受板部１５のそれぞれに形成されている。このため、底板１１同士の連結が、一対の突起１６及び孔１５ｈによりなされるので、より強固となる。
【００４９】
また、本実施形態に係るケーブルガイド１においては、突起１６は、他端部１１ｂから一端部１１ａに向かう方向に低くなるような傾斜部１６ｐを含んでいる。このため、差込部１２を差込受部１３に差し込む際に、突起１６によって差込受板部１５同士の空間Ｓ１を容易に押し広げて突起１６を孔１５ｈに陥入させることができる。
【００５０】
さらに、本実施形態に係るケーブルガイド１においては、底板１１の側部１１ｃの外側面には、第１の凸部１９が形成されており、側板２１における底板１１と反対側の端部２１ｅには、第１の凸部１９が嵌合可能な第２の凹部２９が形成されている。このため、第２の構造体２０の側板２１の第２の凹部２９に対して、第１の構造体１０又は第２の構造体２０の底板１１の側部１１ｃの第１の凸部１９を嵌合させることにより、第１の構造体１０と第２の構造体２０、又は、第２の構造体２０同士を、上下方向に連結して積層することが可能である。また、そのような上下方向の連結に際して、別部材を用意する必要がない。
【００５１】
以上の実施形態は、本発明に係るケーブルガイドの一実施形態を説明したものである。したがって、本発明に係るケーブルガイドは、上述したケーブルガイド１に限定されない。本発明に係るケーブルガイドは、上述したケーブルガイド１を変更したものとすることができる。
【００５２】
例えば、上記実施形態に係るケーブルガイド１は、図６の（ａ）に示されるケーブルガイド１Ａのように変形することができる。ケーブルガイド１Ａは、複数の第２の構造体２０を連続して配置して互いに連結した領域（図示された領域）を含む。また、ケーブルガイド１Ａにおいては、当該領域の第２の構造体２０の上には、別の第２の構造体２０や第１の構造体１０が連結（積層）されていない。すなわち、第２の構造体２０が連続する領域においては、空間Ｓ３が上方に開放されている。このため、当該領域において、ケーブルガイド１Ａに対する光ケーブルの出し入れが容易である。また、当該領域において、ケーブルガイド１Ａが比較的撓みやすくなる。
【００５３】
また、上記実施形態に係るケーブルガイド１は、図６の（ｂ）に示されるケーブルガイド１Ｂのように変形することができる。ケーブルガイド１Ｂは、複数の第２の構造体２０を連続して配置して互いに連結した領域（図示された領域）を含む。また、ケーブルガイド１Ｂにおいては、当該領域の第２の構造体２０の上に第１の構造体１０が取り付けられている。すなわち、第２の構造体２０が連続する領域において、空間Ｓ３が上方に閉じられている。この場合、当該領域において、上下方向及び左右方向の両方において光ケーブルがガイドされると共に、ケーブルガイド１Ｂの上下方向の撓みが確実に抑制される。
【００５４】
さらに、上記実施形態に係るケーブルガイド１は、図７に示されるケーブルガイド１Ｃのように変形することができる。ケーブルガイド１Ｃは、複数の第２の構造体２０を連続して配置して互いに連結すると共に、それらの第２の構造体２０のそれぞれの上に別の第２の構造体２０を連結（積層）した領域（図示された領域）を含む。さらに、ケーブルガイド１Ｃにおいては、上側の第２の構造体２０のそれぞれのさらに上に第１の構造体１０が取り付けられている。つまり、ケーブルガイド１Ｃにおいては、上下方向及び左右方向に閉じられた２段の空間Ｓ３が設けられることとなる。この場合には、それぞれの空間Ｓ３に対して別の光ケーブルを配置して確実にガイドすることができる。
【００５５】
このように、上記実施形態に係るケーブルガイド１は、少なくとも１つの第１の構造体１０及び少なくとも１つの第２の構造体を含めばよく、第１の構造体１０と第２の構造体２０とを任意の組合せで配列して構成されるように変形することができる。
【００５６】
なお、上記実施形態においては、底板１１の側部１１ｃの外側面に第１の凸部１９を設け、側板２１の底板１１と反対側の端部２１ｅに第２の凹部２９を設けた。しかしながら、底板１１の側部１１ｃの外側面に第１の凹部を設け、側板２１の底板１１と反対側の端部２１ｅにその第１の凹部に嵌合する第２の凸部を設けてもよい。
【００５７】
また、第１の当接面１２ｓ同士のなす角度θ１と、第２の当接面１３ｓ同士のなす角度θ２とは、互いに異なっていてもよい。さらに、第２の構造体２０は、上下方向に任意の数を連結して積層することができる。
【符号の説明】
【００５８】
１，１Ａ，１Ｂ，１Ｃ…ケーブルガイド、１０…第１の構造体、１１…底板、１１ａ…一端部、１１ｂ…他端部、１１ｃ…側部、１２…差込部、１２ｓ…第１の当接面、１３…差込受部、１３ｓ…第２の当接面、１４…差込板部、１５…差込受板部、１５ｈ…孔、１６…突起、１６ｐ…傾斜部、１９…第１の凸部、２０…第２の構造体、２１…側板、２１ｅ…端部、２９…第２の凹部、Ｓ１…空間。
【図１】
2015220790.tif 000003
【図２】
2015220790.tif 000004
【図３】
2015220790.tif 000005
【図４】
2015220790.tif 000006
【図５】
2015220790.tif 000007
【図６】
2015220790.tif 000008
【図７】
2015220790.tif 000009